(57)【要約】【課題】ビスを使わずに簡単に取付金具に装着できるリモコンの取付構造を提供する。【解決手段】取付金具１の所定位置に大径孔７ａとこの大径孔７ａに連続して穿設された小径孔７ｂとを設ける。そして、リモコン本体２の背面の所定位置に小径孔７ｂと弾性係合可能な係合突部１０を設けるとともに、化粧枠３の背面の所定位置に大径孔７ａに嵌合可能な嵌合突部１３を設け、リモコン本体２の係合突部１０を小径孔７ｂに弾発係合させた状態で化粧枠３の嵌合突部１３を大径孔７ａに嵌合させて大径孔７ａを塞ぎ、リモコン本体２及び化粧枠３を取付金具１に装着する。【選択図】  図６
2008275228.tif 000002
【特許請求の範囲】
【請求項１】
壁面に配設された取付金具に対するリモコンの取付構造であって、
前記リモコンは、リモコン本体とこのリモコン本体を覆う化粧枠とを有し、
前記取付金具の所定位置に大径孔とこの大径孔に連続して形成された小径孔とが設けられ、
前記リモコン本体の背面の所定位置に前記小径孔と弾性係合可能な係合突部が設けられるとともに、前記化粧枠の背面の所定位置に前記大径孔に嵌合可能な嵌合突部が設けられ、
前記リモコン本体の係合突部を前記小径孔に係合させた状態で前記化粧枠の嵌合突部を前記大径孔に嵌合することによって前記大径孔が塞がれるように構成された
ことを特徴とするリモコンの取付構造。
【請求項２】
前記リモコン本体の係合突部は、先端に係止爪を有する先割れ状のピンの形態とされ、この係止爪が前記小径孔の裏面周縁と係合するとともに、前記大径孔は前記係止爪よりも大径に形成されていることを特徴とする請求項１に記載のリモコンの取付構造。
【請求項３】
前記取付金具の下端に前記リモコン本体の下端部を支持する本体受部が形成され、この本体受部にリモコン本体の下端部を載置させた状態でリモコン本体の下端部を軸としてリモコン本体を取付金具側に旋回させることによってモコン本体の係合突部が前記取付金具の小径孔に係合するように構成されていることを特徴とする請求項１または２に記載のリモコンの取付構造。
【請求項４】
前記小径孔は、前記大径孔の下方に連続して設けられる長孔の形態とされていることを特徴とする請求項３に記載のリモコンの取付構造。
【請求項５】
前記化粧枠は、前記嵌合突部を前記大径孔に嵌合させた際に、少なくともその下端枠内壁が前記リモコン本体の下端に接触状態で当接するように設定されていることを特徴とする請求項３または４に記載のリモコンの取付構造。
【発明の詳細な説明】
【技術分野】
【０００１】
この発明はリモコンの取付構造に関し、より詳細には、壁面に配設された取付金具に対して有線リモコンのリモコン本体及びその化粧枠を取り付ける技術に関する。
【背景技術】
【０００２】
従来、給湯装置や床暖房装置などのいわゆる住宅設備の有線リモコンは、化粧壁の裏側に制御用のケーブルが配置されており、該化粧壁に穿たれた開口部を介してケーブルがリモコン本体に接続される。そして、このリモコン本体の化粧壁への取り付けは、該化粧壁に穿たれた開口部に取付金具を装着し、この取付金具に対してリモコン本体をビス止めすることによって行なわれている（特許文献１参照）。
【特許文献１】特開平１０−１６４６７５号公報
【発明の開示】
【発明が解決しようとする課題】
【０００３】
しかしながら、このように化粧壁の開口部に装着された取付金具にリモコン本体をビス止めによって取り付けていたのでは以下の問題があった。
【０００４】
すなわち、この種のリモコンは、取付金具にビス止めする前にケーブルとリモコン本体とを接続する配線処理が必要であるため、取付金具にリモコン本体をビス止めする際には配線処理されたケーブルがリモコン本体の背面に接続された状態にあって自由が利かない。そのため、この状態でのビス止め作業は作業性が悪く、迅速に取り付けを行なうには熟練を要するという問題があった。
【０００５】
本発明は、このような問題点に鑑みてなされたものであって、その目的とするところは、ビスを使わずに簡単に取付金具への装着ができるリモコンの取付構造を提供することにある。
【課題を解決するための手段】
【０００６】
上記目的を達成するため、本発明に係るリモコンの取付構造は、壁面に配設された取付金具に対するリモコンの取付構造であって、上記リモコンは、リモコン本体とこのリモコン本体を覆う化粧枠とを有し、上記取付金具の所定位置に大径孔とこの大径孔に連続して形成された小径孔とが設けられ、上記リモコン本体の背面の所定位置に上記小径孔と弾性係合可能な係合突部が設けられるとともに、上記化粧枠の背面の所定位置に上記大径孔に嵌合可能な嵌合突部が設けられ、上記リモコン本体の係合突部を上記小径孔に係合させた状態で上記化粧枠の嵌合突部を上記大径孔に嵌合することによって上記大径孔が塞がれるように構成されたことを特徴とする。
【０００７】
すなわち、本発明では、リモコン本体の背面に設けられた係合突部を取付金具の小径孔に弾性係合させ、その状態で化粧枠の嵌合突部を取付金具の大径孔に嵌合することによってリモコン本体及び化粧枠が取付金具に取り付けられる。このとき、小径孔に連続する大径孔には化粧枠の嵌合突部が嵌合されるので、この嵌合突部によってリモコン本体の係合突部が大径孔側にずれてリモコン本体が取付金具から外れるのが防止される。
【０００８】
一方、取り外しの際には、化粧枠を手前に引き抜くことにより大径孔が開放状態となるので、この状態でリモコン本体を大径孔側にずらしてやることによって、小径孔に弾性係合していた係合突部の係合状態が解かれ、そのままリモコン本体を手前に引き抜くことによって取り外すことができる。
【０００９】
このように、本発明では、取付金具へのリモコン本体及び化粧枠の取り付けがビスを用いることなく容易にでき、しかも、その取り外しも容易に行なうことができる。
【００１０】
そして、本発明はその好適な実施態様として、上記リモコン本体の係合突部が先端に係止爪を有する先割れ状のピンの形態とされ、この係止爪が上記小径孔の裏面周縁と係合するとともに、上記大径孔は上記係止爪よりも大径に形成される。
【００１１】
この場合、リモコン本体の取付金具への装着は先割れピンの弾性に抗してリモコン本体を押し込むだけで容易に行なえる一方、一旦係合すると、リモコン本体は係止爪によって取付金具に引っ掛かるので手前に脱落することがない。しかも、大径孔は係止爪より大径であるので取り外しの際は容易に取り外すことができる。
【００１２】
また、本発明は他の好適な実施態様として、上記取付金具の下端に上記リモコン本体の下端部を支持する本体受部が形成され、この本体受部にリモコン本体の下端部を載置させた状態でリモコン本体の下端部を軸としてリモコン本体を取付金具側に旋回させることによってモコン本体の係合突部が上記取付金具の小径孔に係合するように構成される。
【００１３】
これにより、リモコン本体の下端部を取付金具の本体受部に載置してリモコン本体を旋回させるだけでリモコン本体の係合突部と取付金具の小径孔とが係合するので、面倒な位置合わせをすることなく、係合突部を小径孔に係合させることができ作業性が向上する。しかも、リモコン本体の下端部が取付金具の本体受部によって支えられるので、リモコン本体が壁面に安定して取り付けられる。
【００１４】
また、本発明は他の好適な実施態様として、上記小径孔は、上記大径孔の下方に連続して設けられる長孔の形態とされていることを特徴とする。これにより、下端部が取付金具の本体受部によって支えられたリモコン本体を上方にスライドさせることでリモコン本体の取り外しができるようになる。
【００１５】
さらに、本発明は他の好適な実施態様として、上記化粧枠は、上記嵌合突部を上記大径孔に嵌合させた際に、少なくともその下端枠内壁が上記リモコン本体の下端に接触状態で当接するように設定される。これにより、化粧枠を装着することによって、リモコン本体は化粧枠の嵌合突部と下端枠内壁とによって上下方向の移動が規制されるので、取付金具に装着されたリモコン本体が上方にずれて脱落することが防止され、リモコンはがたつくことなく壁面に取り付けられる。
【発明の効果】
【００１６】
本発明の請求項１に係る発明によれば、リモコン本体の背面に設けられた係合突部を取付金具の小径孔に弾性係合させ、その状態で化粧枠の嵌合突部を取付金具の大径孔に嵌合することによってリモコン本体及び化粧枠が取付金具に取り付けられるので、ビスを用いることなく簡単にリモコン本体及び化粧枠を取付金具に取り付けることができ、施工性に優れたリモコンの取り付け構造を提供できる。
【００１７】
また、本発明の請求項２に係る発明によれば、リモコン本体の係合突部として先端に係止爪を有する先割れ状のピンが使用されるので先割れピンの弾性に抗してリモコン本体を押し込むだけでリモコン本体を容易に取り付けることができる一方、その取り外しもリモコン本体をスライドさせるだけで容易に行なうことができる。
【００１８】
さらに、本発明の請求項３に係る発明によれば、面倒な位置合わせをすることなく簡単にリモコン本体を取付金具に取り付けることができる。しかも、リモコン本体の下端部が取付金具の本体受部によって支えられるので、リモコン本体を壁面に安定して取り付けることができる。
【００１９】
また、本発明の請求項４に係る発明によれば、リモコン本体を上方にスライドさせることでリモコン本体の取り外しを容易に行なうことができる。
【００２０】
さらに、本発明の請求項５に係る発明によれば、化粧枠を装着することによって、取付金具に装着されたリモコン本体が上方にずれることが防止され、がたつきなくリモコンを壁面に取り付けることができる。
【発明を実施するための最良の形態】
【００２１】
以下、本発明の一実施形態を図面に基づいて詳細に説明する。
本発明に係るリモコンの取付構造は、化粧壁に配設された取付金具に対してリモコン（リモコン本体とその化粧枠）を取り付けるための構造である。
【００２２】
図１は、本発明に係るリモコンの取付構造に用いる取付金具１の斜視図であり、図２は同取付金具１の正面、平面及び右側面の三面を示す外観図であって、図２(a)は正面図を、図２(b)は平面図を、図２(c)は右側面図をそれぞれ示している。
【００２３】
この取付金具１は、リモコン本体２及び化粧枠３を化粧壁（図示せず）の壁面に取り付けるための金具であって、金属板を図示のような所定形状にプレス加工することによって構成されている。
【００２４】
具体的には、この取付金具１はその全体が略矩形状に形成され、その上端縁が正面側に張り出すようにＬ字形に曲折されて帯状のフランジ部４を構成するとともに、その下端縁の一部が延出し、この延出部分が略コ字状の鍵形に曲折されて本体受部５を構成している。なお、この本体受部５は、リモコン本体２の下端部を支持するための部位であって、後述するリモコン本体２の下端部に形成される凹状部１２とかみ合い係合するように、幅方向（図２矢符Ｘ参照）に所定の幅寸法を有して形成される。
【００２５】
そして、この取付金具１の中央には、配線を通すための略矩形状の開口部６が穿設されるとともに、その周囲にはこの取付金具１を化粧壁にビス止めするための複数のねじ孔８，８，…が適所に設けられている。
【００２６】
上記フランジ部４の所定位置（図示例では、該フランジ部４の中央付近）には所定の間隔をあけて一対のリモコン装着孔７，７が穿設される。このリモコン装着孔７，７は、それぞれ略円形の大径孔部（大径孔）７ａと、この大径孔部７ａの下方に連続して穿設されたやや幅狭の長孔状の小径孔部（小径孔）７ｂとで構成され、全体として鍵穴のような形状を有している（図２(a)参照）。なお、このフランジ部４の段差は後述するリモコン本体２の係合突部１０の先端（頭部）１０ｂの厚さに応じて設定される。
【００２７】
具体的には、上記大径孔部７ａは、後述する化粧枠３の嵌合突部１３が挿通可能な内径を有しており、上記小径孔部７ｂは後述するリモコン本体２の係合突部１０の軸部１０ａが挿通可能な幅寸法を有して形成される。なお、上記大径孔部７ａは、少なくとも後述するリモコン本体２の係合突部１０の先端（頭部）１０ｂが挿通可能な形状・寸法とされている。
【００２８】
図３及び図４は、いずれもリモコン本体２の概要を示す説明図であり、図３(a)は同リモコン本体２の概略構成を示す背面図を、図３(b)は図３(a)のＢ−Ｂ断面図を示している。また、図４(a)は図３(a)のＡ−Ａ断面図を、図４(b)は同リモコン本体２の係合突部１０を示す部分拡大図である。
【００２９】
これらの図に示すように、リモコン本体２は、内部に電装基板を収容するための空間を有する断面略凹形状の矩形の箱体を呈した樹脂製の成形品からなり、その背面側が開口されている。なお、図３において、略Ｓ字形をした渦巻き状に描かれた部分は押しボタンスイッチのスイッチ本体９，９，…を背面（裏側）から図示したものであり、この上に電装基板が配置される。なお、図３以下の図においてリモコン本体２を図示する場合、内部に収容される電装基板の図示は省略する。
【００３０】
そして、このリモコン本体２の背面側の所定位置（具体的には、上記取付金具１のリモコン装着孔７，７に対応する位置、より正確には、リモコン装着孔７，７の小径孔部７ｂ、７ｂに対応する位置）には、所定の間隔をあけて一対の係合突部１０，１０が起立状に突設されている。なお、これら係合突部１０，１０の上方には、後述する取付金具１の大径孔部７ａへの化粧枠３の嵌合を妨げないように所定のクリアランス（切欠部）が形成されている（図３(a)参照）。
【００３１】
より詳細には、この係合突部１０，１０は、いずれも図４に示すように、軸部１０ａの先端１０ｂに係止爪１１を有する先割れ状のピンの形態とされ、上記リモコン本体２と一体に形成されている。すなわち、この係合突部１０，１０は樹脂の弾性を利用して係止爪１１を上記小径孔部７ｂの裏面周縁に弾発係合させ得るように構成されている。
【００３２】
なお、この係合突部１０の先端（頭部）１０ｂはやや丸みを帯びたテーパ状に形成され、上記小径孔部７ｂへの弾発係合が容易に行なえるように構成されている。また、この係合突部１０の軸部１０ａの外形寸法と上記小径孔部７ｂの長孔部分の幅寸法は略同寸に設定され、係合突部１０を小径孔部７ｂに挿通させたときに小径孔部７ｂ内で係合突部１０の軸部１０ａががたつかないように設定されている。そして、当然のことながら、上記係止爪１１は上記小径孔部７ｂよりも幅広に設定される。
【００３３】
また、このリモコン本体２の下端部には上記取付金具１の本体受部５の幅方向（図２の矢符Ｘ参照）の寸法と略同寸の幅寸法を有する凹状部１２が形成されており、後述するように、リモコン本体２を取付金具１に取り付ける際に、この凹状部１２を取付金具１の本体受部５に嵌め合わせることで、リモコン本体２の幅方向の位置合わせが容易に行なえるように構成されている。
【００３４】
図５及び図６は、化粧枠３の概略構成と化粧枠３と取付金具１及びリモコン本体２の係合状態を示す説明図である。具体的には、図５(a)の左図は化粧枠３を図３のＢ−Ｂ線に対応する位置で切断した縦断面図を示し、同図５(a)の右図は取付金具１にリモコン本体２を取り付けた状態を示す図３(b)に対応する断面図を示している。また、図５(b)は、取付金具１にリモコン本体２を取り付けたときのリモコン装着孔７の状態を示す説明図である。さらに、図６(a)は取付金具１にリモコン本体２及び化粧枠３を取り付けたときのリモコン装着孔７の状態を示す説明図であり、図６(b)は化粧枠３を図３のＡ−Ａ線に対応する位置で切断した横断面図を示している。
【００３５】
化粧枠３は、リモコン本体２の表面を覆うカバーとなる部材であって、これらの図に示すように、この化粧枠３は、その背面側が開口され、内部にリモコン本体２（及び取付金具１）を収容するための空間を有する断面略凹形状の矩形の箱体を呈した樹脂製の成形品として構成される。より詳細には、この化粧枠３の背面の所定位置（具体的には、上記取付金具１のリモコン装着孔７，７に対応する位置、より正確には、リモコン装着孔７，７の大径孔部７ａ、７ａに対応する位置）には、所定の間隔をあけて一対の嵌合突部１３，１３が起立状に突設されている。
【００３６】
より詳細には、この嵌合突部１３，１３は、いずれも図６(a)に示すように、上記大径孔部７ａの形状に対応する略円筒状のピンの形態とされ、上記化粧枠３と一体に形成されている。具体的には、この嵌合突部１３の軸部１３ａの外形寸法と上記大径孔部７ａの内径寸法は略同寸に設定され、嵌合突部１３を大径孔部７ａに挿通させたときに大径孔部７ａ内で嵌合突部１３の軸部１３ａががたつかないように設定されている。
【００３７】
なお、図示例では、この嵌合突部１３の先端つまり頭部は平坦面を呈するように構成されているが、上記大径孔部７ａへの嵌合が容易なように丸みを帯びるように構成することも可能である。
【００３８】
また、この化粧枠３の内壁は、上記嵌合突部１３，１３を上記大径孔部７ａ，７ａに嵌合させた際に、リモコン本体２の外端部と接触状態で当接するように設定される。殊に本実施形態では、化粧枠３の少なくともその下端枠内壁３ａがリモコン本体２の下端２ａに接触状態で当接するように設定され、化粧枠３をリモコン本体２に装着したときに、リモコン本体２が化粧枠３の嵌合突部１３と下端枠内壁３ａとによって上下方向の移動が規制されるように構成されている。
【００３９】
次に、このように構成されたリモコン本体２及び化粧枠３の取り付け手順について説明する。
【００４０】
まず、はじめに取付金具１を化粧壁に取り付ける。すなわち、化粧壁に穿設されたリモコン配線用のケーブルの取り出し口となる開口部（図示せず）の位置に、取付金具１の開口部６の位置を合わせて、取付金具１を化粧壁にビス止め固定する。具体的には、取付金具１の本体受部５を下方にし、フランジ部４が上方に位置するようにして化粧壁に固定する。
【００４１】
次に、リモコン本体２の内部に収容された電装基板とリモコン配線用のケーブルとを接続する。なお、本実施形態に示すリモコン本体２は、背面が開口されたタイプであるので、ケーブルの接続後に電装基板の背面に絶縁シートを被せ、電装基板の電気的な絶縁が図られる。
【００４２】
そして、これらの配線作業が完了すると、次に、リモコン本体２の下端部に設けられた凹状部１２の凹部を斜め上方から取付金具１の本体受部５に嵌め合わせるように載置させてリモコン本体２の幅方向（左右方向）の位置を決めるとともに、この状態でリモコン本体２の下端部、つまり凹状部１２と本体受部５のかみ合わせ部分を軸としてリモコン本体２の上端側を取付金具１側に旋回させて、リモコン本体２の係合突部１０，１０の先端１０ｂ、１０ｂをそれぞれ取付金具１のリモコン装着孔７，７の小径孔部７ｂ、７ｂに当接しつつ同先端１０ｂ、１０ｂ（リモコン本体２）を取付金具１側に押し込む。これにより、係合突部１０，１０の先端の先割れ部分の弾性変形によって同先端１０ｂ、１０ｂが小径孔部７ｂ、７ｂに挿通され、先端１０ｂ、１０ｂの頭部が小径孔部７ｂ、７ｂを通過した時点で係合突部１０，１０の先割れ部分が開いて、係合爪１１，１１が小径孔部７ｂ、７ｂの裏面周縁に引っ掛かり両者が係合される（図５右図及び図６(a)参照）。
【００４３】
つまり、本実施形態に示すリモコンの取付構造では、リモコン本体２の下端部が取付金具１の本体受部５によって支持されるとともに、リモコン本体２の上部が係合突部１０，１０の係合爪１１，１１によって取付金具１と係合することによってリモコン本体２が取付金具１に保持される。なお、この状態では、リモコン本体２は上方にスライド可能である。つまり、リモコン本体２は下端部が取付金具１の本体受部５に載置された状態にある一方、係合突部１０，１０が係合する小径孔部７ｂ、７ｂにはその上方に大径孔部７ａ，７ａが連続して形成されているからである。
【００４４】
このようにして取付金具１へのリモコン本体２の装着が完了すると、最後に化粧枠３をリモコン本体２に装着する。すなわち、化粧枠３の装着は、図５に示すように取付金具１にリモコン本体２を取り付けた状態で、リモコン本体２の背面側から水平に化粧枠３を装着する。
【００４５】
具体的には、この化粧枠３の背面の所定位置、つまり、取付金具１の大径孔部７ａ，７ａに対応する位置にある嵌合突部１３，１３が取付金具１の大径孔部７ａ，７ａに嵌合するように化粧枠３をリモコン本体２に装着する。これにより、図６(a)に示すように、取付金具１の小径孔部７ｂ，７ｂにはリモコン本体２の係合突部１０，１０が挿入され、大径孔部７ａ，７ａには化粧枠３の嵌合突部１３，１３が挿入されることとなり、リモコン本体２（具体的には、係合突部１０，１０）が大径孔部７ａ，７ａ側に移動することが規制される。つまり、化粧枠３の嵌合突部１３，１３によって大径孔部７ａ，７ａが塞がれることにより、リモコン本体２が上方にスライドするのが防止される。
【００４６】
ここで、上記化粧枠３の嵌合突部１３の外径が取付金具１の大径孔部７ａよりも小さすぎると化粧枠３やリモコン本体２のがたつきの原因となるので、嵌合突部１３の外径は取付金具１の大径孔部７ａの内径と略同寸に設定するのが好ましい。また、リモコン本体２のがたつきを少なくするためには、小径孔部７ｂに挿入された係合突部１０の頭部の上端縁が嵌合突部１３の下端縁と当接するように小径孔部７ｂ及び係合突部１０を設定しておくのが好ましい。
【００４７】
図７は、取付金具１にリモコン本体２及び化粧枠３を取り付けた状態の概要を示す縦断面図である。図７に示すように、化粧枠３の内壁は、リモコン本体２の外端部と接触状態で当接するように設定されており、殊に本実施形態では、上述したように、化粧枠３の少なくともその下端枠内壁３ａがリモコン本体２の下端２ａに接触状態で当接するように設定され、化粧枠３をリモコン本体２に装着したときに、リモコン本体２が化粧枠３の嵌合突部１３と下端枠内壁３ａとによって上下方向の移動が規制されるように構成されている。したがって、リモコン本体２そのものは上述したように上方にスライド可能に構成されているが、化粧枠３を装着することによってリモコン本体２のスライドが防止されている。
【００４８】
一方、化粧枠３及びリモコン本体２を取り外す場合は、まず化粧枠３を正面側に水平に引き抜く。化粧枠３自体は上述したようにリモコン本体２側に嵌合されているだけであるので、この引き抜きは容易に行なえる。
【００４９】
ここで、化粧枠３を取り外すと、図５(b)に示すように、取付金具１の大径孔部７ａを塞ぐ嵌合突部１３は存在しない状態となるので、上述したように、リモコン本体２は上方にスライド可能である。
【００５０】
したがって、リモコン本体２を取り外すには、図８(a),(b)に示すように、リモコン本体２を上方にスライドさせ、リモコン本体２の係合突部１０，１０を取付金具１の大径孔部７ａ，７ａ側に移動させる。ここで、取付金具１の大径孔部７ａの形状・寸法は、上述したようにリモコン本体２の係合突部１０の先端（頭部）１０ｂが挿通可能な形状・寸法とされていることから、リモコン本体２を上方にスライドさせて、この状態でリモコン本体２の上部を正面側に引き抜くことにより、リモコン本体２の係合突部１０，１０と取付金具１の係合が解除され、リモコン本体２を取付金具１から取り外すことができる。
【００５１】
このように、本発明のリモコンの取付構造によれば、リモコン本体２の背面に設けられた係合突部１０を取付金具１の小径孔部７ｂに弾性係合させ、その状態で化粧枠３の嵌合突部１３を取付金具１の大径孔部７ａに嵌合することによってビスを用いることなく簡単にリモコン本体２及び化粧枠３を取付金具１に取り付けることがでる。
【００５２】
しかも、化粧枠３を手前に引き抜き、リモコン本体２を上方にスライドさせるだけでリモコン本体２と取付金具１の係合が解除されるので、その取り外しも容易に行なうことができる。
【００５３】
なお、上述した実施形態はあくまでも本発明の好適な実施態様を示すものであって、本発明はこれらに限定されることなくその範囲内で種々の設計変更が可能である。  
【００５４】
たとえば、上述した実施形態では、取付金具１のフランジ部４にリモコン装着孔７を一対（２箇所）設けた場合を示したが、このリモコン装着孔７は上記フランジ部４の少なくとも１箇所に設けられておればよく、また、２個所以上にリモコン挿通孔７を設けてもよい。
【００５５】
また、上述した実施形態では、リモコン装着孔７の大径孔部７ａが略円形とされた場合を示したが、大径孔部７ａの形状は適宜変更可能である。すなわち、大径孔部７ａは係合突部１０の先端（頭部）１０ｂが挿通可能な形状・寸法であれば円形以外の他の形状（例えば四角形など）としてもよい。なお、その際、化粧枠３の嵌合突部１３の形状も大径孔部７ａに対応させて変更するのが好ましいが、嵌合突部１３の形状は、大径孔部７ａに嵌合させた際にがたつきを生じない形状であれば大径孔部７ａの形状に拘束されず適宜設定可能である。
【００５６】
また、小径孔部７ｂの形状についても上述した実施形態では長孔状の形態とされた場合を示したが、係合突部１０の軸部１０ａが挿通可能で、かつリモコン本体２の取り外し時に軸部１０ａを大径孔部７ａ側にスライドさせることができる形状であれば、たとえば、大径孔部７ａとの接続部分にくびれを設けるなど適宜設計変更可能である。
【００５７】
さらに、上述した実施形態では、リモコン本体２を上方にスライドさせて取り外す場合を示したが、大径孔部７ａと小径孔部７ｂの向きを変更することにより、取り外し時のスライド方向も変更可能である。
【図面の簡単な説明】
【００５８】
【図１】本発明に用いる取付金具の外観を示す斜視図である。
【図２】同取付金具の正面、平面及び右側面の三面を示す外観図であって、図２(a)は正面図を、図２(b)は平面図を、図２(c)は右側面図をそれぞれ示している。
【図３】本発明に用いるリモコン本体の概要を示す説明図であり、図３(a)は同リモコン本体２の概要を示す背面図を、図３(b)は図３(a)のＢ−Ｂ断面図を示している。
【図４】同リモコン本体の概要を示す説明図であり、図４(a)は図３(a)のＡ−Ａ断面図を、図４(b)は同リモコン本体の係合突部を示す部分拡大図である。
【図５】本発明に用いる化粧枠の概略構成と、化粧枠と取付金具及びリモコン本体の係合状態を示す説明図であり、図５(a)は化粧枠を図３のＢ−Ｂ線に対応する位置で切断した縦断面図と、取付金具にリモコン本体を取り付けた状態を示す図３(b)に対応する断面図を示している。また、図５(b)は、取付金具にリモコン本体を取り付けたときのリモコン装着孔の状態を示す説明図である。
【図６】同化粧枠の概略構成を示す説明図であって、図６(a)は取付金具にリモコン本体及び化粧枠を取り付けたときのリモコン装着孔の状態を示す説明図であり、図６(b)は化粧枠を図３のＡ−Ａ線に対応する位置で切断した横断面図である。
【図７】取付金具にリモコン本体及び化粧枠を取り付けた状態の概要を示す縦断面図である。
【図８】リモコン本体を上方にスライドさせた状態を示す説明図であり、図８(a)は縦断面図を、図８(b)は取付金具のリモコン装着孔の部分を示した拡大図である。
【符号の説明】
【００５９】
１            取付金具
２            リモコン本体
２ａ          リモコン本体の下端
３            化粧枠
３ａ          化粧枠の下端枠内壁
４            フランジ部
５            本体受部
６            開口部
７            リモコン装着孔
７ａ          大径孔部（大径孔）
７ｂ          小径孔部（小径孔）
１０          係合突部
１１          係止爪
１２          凹状部
１３          嵌合突部
【図１】
2008275228.tif 000003
【図２】
2008275228.tif 000004
【図３】
2008275228.tif 000005
【図４】
2008275228.tif 000006
【図５】
2008275228.tif 000007
【図６】
2008275228.tif 000008
【図７】
2008275228.tif 000009
【図８】
2008275228.tif 000010